(57)【要約】【課題】  固定構造を改良した電子機器を提供する。【解決手段】  電子機器は、表示パネルと、前記表示パネルの前方を覆う第１のカバーと、前記表示パネルの後方を覆う第２のカバーと、前記第１のカバーおよび前記第２のカバーのいずれか一方の外周部に設けられるとともに、同方向を向いた複数の爪部と、前記第１のカバーおよび前記第２のカバーのいずれか他方の外周部に設けられるとともに、前記複数の爪部とそれぞれ係合する複数の受け部と、を備える。【選択図】図１１
2013020088.tif 000002
【特許請求の範囲】
【請求項１】
表示パネルと、
前記表示パネルの前方を覆う第１のカバーと、
前記表示パネルの後方を覆う第２のカバーと、
前記第１のカバーおよび前記第２のカバーのいずれか一方の外周部に設けられるとともに、同方向を向いた複数の爪部と、
前記第１のカバーおよび前記第２のカバーのいずれか他方の外周部に設けられるとともに、前記複数の爪部とそれぞれ係合する複数の受け部と、
を備える電子機器。
【請求項２】
前記複数の受け部は、前記第１の爪部と係合する第１の受け部を含み、
前記複数の爪部は、指により進退可能な第１の爪部を含み、前記第１の爪部は、指で操作されることで前記第１の受け部との係合が解除される請求項１に記載の電子機器。
【請求項３】
前記第１のカバーおよび前記第２のカバーのいずれか一方に設けられるとともに、前記表示パネルを保持するリブと、
を備え、
前記複数の爪部は、前記リブ上に設けられる第２の爪部を含む請求項２に記載の電子機器。
【請求項４】
前記第１の爪部は、前記第１のカバーおよび前記第２のカバーのいずれか一方の辺のうち、下方に位置した辺に設けられ、
前記第１の受け部は、前記第１のカバーおよび前記第２のカバーのいずれか他方の辺のうち、下方に位置した辺に設けられる請求項３に記載の電子機器。
【請求項５】
前記第１の爪部は、
前記第１のカバーおよび前記第２のカバーのいずれか他方に近づくにつれて、前記第１のカバーおよび前記第２のカバーのいずれか一方の厚み方向における高さ寸法が小さくなる第１の補強リブと、
前記第１のカバーおよび前記第２のカバーのいずれか一方の厚み方向において同一の高さ寸法を有する第２の補強リブと、
を有する請求項４に記載の電子機器。
【請求項６】
表示パネルと、
前記表示パネルの前方を覆う第１のカバーと、
前記表示パネルの後方を覆う第２のカバーと、
前記第１のカバーおよび前記第２のカバーのいずれか一方の外周部に設けられるとともに、同方向を向いた複数の爪部と、
前記第１のカバーおよび前記第２のカバーのいずれか他方の外周部に設けられるとともに、前記複数の爪部とそれぞれ係合する複数の受け部と、
を備える映像表示装置。
【発明の詳細な説明】
【技術分野】
【０００１】
本発明の実施形態は、固定構造を有した電子機器に関する。
【背景技術】
【０００２】
フロントキャビネットおよびリヤキャビネットを備えた表示装置が存在している（特許文献１参照）。
【先行技術文献】
【特許文献】
【０００３】
【特許文献１】特開２００８−８３５６２号公報
【発明の概要】
【発明が解決しようとする課題】
【０００４】
一方、フロントキャビネットとリヤキャビネットとを固定する構造については、爪構造を含めて様々な方式が存在する。一方、これらの組み立て時だけでなく、フロントキャビネットおよびリヤキャビネットを分解する際の作業性にも配慮しなければならない場合がある。このため、このような固定構造に関する改良へのニーズが存在していた。
【０００５】
本発明は、固定構造を改良した電子機器を提供することを目的とする。
【課題を解決するための手段】
【０００６】
実施形態の電子機器は、表示パネルと、前記表示パネルの前方を覆う第１のカバーと、前記表示パネルの後方を覆う第２のカバーと、前記第１のカバーおよび前記第２のカバーのいずれか一方の外周部に設けられるとともに、同方向を向いた複数の爪部と、前記第１のカバーおよび前記第２のカバーのいずれか他方の外周部に設けられるとともに、前記複数の爪部とそれぞれ係合する複数の受け部と、を備える。
【図面の簡単な説明】
【０００７】
【図１】第１の実施形態にかかる電子機器の一例であるテレビを示した斜視図。
【図２】図１に示すテレビの第２のカバーを後方から示した背面図。
【図３】図１に示すテレビの第１のカバーを裏面方向（内面方向）から示した背面図。
【図４】図３に示す第１のカバーの第１の爪部を示した斜視図。
【図５】図３に示す第１のカバーの第２の爪部および第３の爪部を示した斜視図。
【図６】図１に示すテレビの第２のカバーを裏面方向（内面方向）から示した背面図。
【図７】図６に示す第２のカバーの第１の受け部周りを拡大して示した斜視図。
【図８】図６に示す第２のカバーの第２の受け部周りを拡大して示した斜視図。
【図９】図６に示す第２のカバーの第３の受け部周りを拡大して示した斜視図。
【図１０】図１に示すテレビの第１のカバーと第２のカバーとを分解する一工程を示す断面図。
【図１１】図１０に示す第１のカバーと第２のカバーとを分解する工程の次の工程を示す断面図。
【図１２】第２の実施形態にかかる電子機器の一例であるテレビを示した断面図。
【図１３】図１２に示す第１のカバーと第２のカバーとを分解する工程の次の工程を示す断面図。
【発明を実施するための形態】
【０００８】
以下、図１から図１１を参照して、電子機器の一例であるテレビの第１の実施形態について説明する。
【０００９】
以下の実施形態では、手前側（即ちユーザ側）を前方向Ｆ、ユーザから見て奥側を後方向Ｒ、ユーザから見て左側を左方向、ユーザから見て右側を右方向、ユーザから見て上方を上方向Ｕ、ユーザから見て下方を下方向Ｌと定義する。
【００１０】
図１に示すように、本実施形態にかかるテレビ１１は、長方形の外観を有した薄型の映像表示装置である。図１に示すように、テレビ１１は、（ディスプレイ部）と、表示部１２を支持するスタンド１３（脚部）と、を備えている。
【００１１】
図１、図２に示すように、表示部１２は、表示パネル１４（ディスプレイ）と、表示パネル１４の背面に設けられたメイン基板１５（プリント回路板）および電源基板１６と、表示パネル１４、メイン基板１５、電源基板１６の周囲を覆った筐体１７と、を備えている。メイン基板１５上には、ＣＰＵ、ＲＡＭ、ＲＯＭ、チューナ等の各種の回路部品が実装されている。筐体１７は、表示パネル１４の前方側を覆う第１のカバー２１と、表示パネル１４の後方側を覆う第２のカバー２２と、を有している。第１のカバー２１および第２のカバー２２は、主として複数の爪部２５および複数の受け部３７の係合によって固定されている。
【００１２】
表示パネル１４は、本実施形態では、例えば、方形板状の液晶パネルで構成されている。表示パネル１４は、例えばプラズマディスプレイパネル、有機ＥＬパネル等の他の種類のディスプレイパネルでもよい。
【００１３】
図１、図３から図５に示すように、第１のカバー２１は、中央に表示パネル１４を露出させるための開放部２３を有して枠状をなした第１の本体２４と、第１の本体２４から第２のカバー２２に向けて突出した複数の爪部２５と、第１の本体２４から筐体１７の内側（表示パネル１４のある方向）に向けて突出した第１のリブ２６と、を有している。図３、図５に示すように、第１のリブ２６は、表示パネル１４の外周部に突き当たっており、表示パネル１４のがたつきを防ぎつつ表示パネル１４を保持している。図５に示すように、第１のリブ２６には、溝２７が設けられており、該溝２７の内側に第２のカバー２２側から突出した突部２８（図８参照）が差し込まれることで、第１のカバー２１に対して第２のカバー２２が位置決めされる。図３に示すように、第１のカバー２１は、第１の上方に位置した辺２１Ａと、第１の側方に位置した辺２１Ｂと、第１の下方に位置した辺２１Ｃと、を含んでいる。
【００１４】
図３に示すように、複数の爪部２５は、例えば、第１のカバー２１の外周部に設けられている。複数の爪部２５は、第１の下方に位置した辺２１Ｃに設けられる計４個の第１の爪部３１と、第１の側方に位置した辺２１Ｂに設けられる計６個の第２の爪部３２と、第１の上方に位置した辺２１Ａに設けられる計６個の第３の爪部３３と、を含んでいる。
【００１５】
図４に示すように、第１の爪部３１は、第１の下方に位置した辺２１Ｃから延びる板状の支持部３１Ａと、支持部３１Ａの先端側に設けられるとともに、第２のカバー２２の第１の受け部４１に引っ掛かるように突出した引掛部３１Ｂと、を有している。
【００１６】
図４に示すように、引掛部３１Ｂは、第２のカバー２２に近づくにつれて、第１のカバー２１の厚み方向における高さ寸法が小さくなる第１の補強リブ３４と、第１のカバー２１の厚み方向において同一の高さ寸法を有する第２の補強リブ３５と、を有している。第１の爪部３１（引掛部３１Ｂ）は、例えば下方向Ｌに向けて突出している。
【００１７】
図５に示すように、第２の爪部３２は、第１のリブ２６の一方の面（下面）に設けられており、例えば下方向Ｌに向けて突出している。第３の爪部３３は、第１の上方に位置した辺２１Ａの内面から直接突出するように設けられている。第３の爪部３３も同様に、例えば下方向Ｌに向けて突出している。
【００１８】
図６に示すように、第２のカバー２２は、第２の本体３６と、第２の本体３６に設けられた複数の受け部３７と、を有している。また、第２のカバー２２は、第２の上方に位置した辺２２Ａと、第２の側方に位置した辺２２Ｂと、第２の下方に位置した辺２２Ｃと、を含んでいる。
【００１９】
複数の受け部３７は、例えば、第２のカバー２２の外周部に設けられている。複数の爪部２５は、第２の下方に位置した辺２２Ｃに設けられる計４個の第１の受け部４１と、第２の側方に位置した辺２２Ｂに設けられる計６個の第２の受け部４２と、第２の上方に位置した辺２２Ａに設けられる計６個の第３の受け部４３と、を含んでいる。
【００２０】
図７に示すように、第１の受け部４１は、第２の下方に位置した辺２２Ｃに設けられる方形の開口で構成されている。第１の爪部３１は、その引掛部３１Ｂが第１の受け部４１の内側に嵌り込んで、第１の受け部４１と係合する。
【００２１】
図８に示すように、第２の受け部４２は、第２の側方に位置した辺２２Ｂから筐体１７の内部（表示パネル１４のある方向）に向けて突出した第２のリブ４４に設けられる方形の開口で構成されている。本実施形態では、第２のリブ４４は、第２の受け部４２を設けるための専用のリブである。しかしながら、第２の受け部４２は、第２の爪部３２と同様に、表示パネル１４を保持するためのリブ（第３のリブ４５）に設けるようにしてもよい。
【００２２】
図９に示すように、第３の受け部４３は、第２の上方に位置した辺２２Ａから、第１のカバー２１のある方向（前方向Ｆ）に向けて突出した部分に設けられた方形の開口として形成されている。
【００２３】
続いて、図１０、図１１を参照して、第１のカバー２１から第２のカバー２２を取り外す工程について説明する。この工程に先立ち、テレビ１１の表示部１２は、表示パネル１４が露出される面（第１のカバー２１）を下側にして、平坦な机等の上に載置しておく。
【００２４】
そして、図１０に示すように、作業者が第１の爪部３１を指で押し込んで、第１の受け部４１と第１の爪部３１との係合を解除する。その際、作業者は、第１の受け部４１となる開口の内側に指を通すことができる。
【００２５】
続いて、図１１に示すように、第２の下方に位置した辺２２Ｃの付近を手で保持するとともに、第３の爪部３３（第３の受け部４３）付近を回転中心として、第２のカバー２２を上方に引き上げるように、矢印Ｂ方向に回転させる。その際、作業者は、第２のカバー２２を作業者のいる手前方向に引き出すように、図１１中において矢印Ａで示す力を加えつつ、第２のカバー２２を上方に引き上げるようにする。これによって、第２の爪部３２と第２の受け部４２との係合が解除され、さらに第２のカバー２２を矢印Ｂ方向に回転させると、第３の爪部３３と第３の受け部４３との間の係合が解除される。以上より、第１のカバー２１から第２のカバー２２を取り外す作業（筐体１７の分解作業）が円滑になされる。
【００２６】
なお、本実施形態では、複数の爪部２５のそれぞれは、下方向Ｌを向くように形成されているが、複数の爪部２５を設ける方向はこれに限定されるものではない。複数の爪部２５は、同じ方向に向いていれば、どの方向（上方向Ｕ、右方向、左方向）でもよい。
【００２７】
第１の実施形態によれば、テレビ１１は、表示パネル１４と、表示パネル１４の前方を覆う第１のカバー２１と、表示パネル１４の後方を覆う第２のカバー２２と、第１のカバー２１の外周部に設けられるとともに、同方向を向いた複数の爪部２５と、第２のカバー２２の外周部に設けられるとともに、複数の爪部２５とそれぞれ係合する複数の受け部３７と、を備える。
【００２８】
この構成によれば、複数の爪部２５が同方向を向いているため、複数の爪部２５と複数の受け部３７との間の係合の解除を容易にすることができる。これによって、例えば、修理等の際などに第１のカバー２１と第２のカバー２２とを分解する際に、分解作業を簡単にできるとともに、分解時に専用の工具等を不要にできる。また、従来のように地獄ロックとなっているため工具等によって第１のカバー２１および第２のカバー２２を傷つけて、再使用不能としてしまうことがなく、第１のカバー２１および第２のカバー２２に無駄を生じてしまうことを防止できる。これによって、第１のカバー２１と第２のカバー２２との間で繰り返し着脱を行うことができる。さらに、固定用のねじの数を削減することができるとともに、組み立て時の工数を削減できる。
【００２９】
本実施形態において、複数の受け部３７は、第１の爪部３１と係合する第１の受け部４１を含み、複数の爪部２５は、指により進退可能な第１の爪部３１を含み、第１の爪部３１は、指で操作されることで第１の受け部４１との係合が解除される。この構成によれば、第１の爪部３１の操作を指で行うことができるため、別途に工具を必要としないで第１のカバー２１と第２のカバー２２との間の係合を解除することができる。
【００３０】
さらに、テレビ１１は、第１のカバー２１に設けられるとともに、表示パネル１４を保持するリブと、を備え、複数の爪部２５は、リブ上に設けられる第２の爪部３２を含む。この構成によれば、リブと第２の爪部３２とを別々に設ける場合に比して、構造を簡略化できるとともに、第１のカバー２１および第２のカバー２２の内側において使用するスペースを削減することができる。
【００３１】
また、第１の爪部３１は、第１のカバー２１の辺のうち、下方に位置した辺に設けられ、第１の受け部４１は、第２のカバー２２の辺のうち、下方に位置した辺に設けられる。この構成によれば、第１の爪部３１および第１の受け部４１のいずれも下方に位置した辺に設けられることになるため、これらがユーザから視認されにくくなり、テレビ１１の体裁を良好にすることができる。
【００３２】
第１の爪部３１は、第２のカバー２２に近づくにつれて、第１のカバー２１の厚み方向における高さ寸法が小さくなる第１の補強リブ３４と、第１のカバー２１の厚み方向において同一の高さ寸法を有する第２の補強リブ３５と、を有する。
【００３３】
この構成によれば、第１の補強リブ３４が設けられることで、第１のカバー２１と第２のカバー２２とを固定する際に、第１の爪部３１が第２のカバー２２の一部に引っ掛かり難くなり組み立て作業の妨げになることがない。また、第２の補強リブ３５が設けられることで、作業者の指が滑ることなく確実に第１の爪部３１を押すことができる。これによって、第１の爪部３１と第１の受け部４１との間の係合を確実に解除できる。
【００３４】
続いて、図１２、図１３を参照して、電子機器の第２の実施形態について説明する。第２の実施形態の電子機器の一例であるテレビ１１は、複数の爪部２５が第２のカバー２２側に設けられ、複数の受け部３７が第１のカバー２１側に設けられている点で、第１の実施形態と構造が異なっているが、それ以外の構造は第１の実施形態と共通している。このため、主として異なる部分について説明し、共通する部分については共通の符号を付して説明を省略する。
【００３５】
図１２に示すように、第２のカバー２２は、第２の本体３６と、第２の本体３６から第１のカバー２１に向けて突出した複数の爪部２５と、第２の本体３６から筐体１７の内側（表示パネル１４のある方向）に向けて突出した第２のリブ４４と、を有している。第２のリブ４４は、表示パネル１４の外周部に突き当たっており、表示パネル１４のがたつきを防ぎつつ表示パネル１４を保持している。また、第２のカバー２２は、第２の上方に位置した辺２２Ａと、第２の側方に位置した辺２２Ｂと、第２の下方に位置した辺２２Ｃと、を含んでいる。
【００３６】
複数の爪部２５は、例えば、第２のカバー２２の外周部に設けられている。複数の爪部２５は、第２の下方に位置した辺２２Ｃに設けられる計４個の第１の爪部３１と、第２の側方に位置した辺２２Ｂに設けられる計６個の第２の爪部３２と、第２の上方に位置した辺２２Ａに設けられる計６個の第３の爪部３３と、を含んでいる。
【００３７】
第１の爪部３１は、支持部３１Ａと、支持部３１Ａの先端側に設けられるとともに、第１のカバー２１の第１の受け部４１に引っ掛かるように突出した引掛部３１Ｂと、作業者が筐体１７を分解する際に指を掛けることができる指掛部３１Ｃと、を有している。引掛部３１Ｂは、第１のカバー２１に近づくにつれて、第２のカバー２２の厚み方向における高さ寸法が小さくなる第１の補強リブ３４と、第２のカバー２２の厚み方向において同一の高さ寸法を有する第２の補強リブ３５と、を有している。第１の爪部３１（引掛部３１Ｂ）は、第２のカバー２２の上方向Ｕに向けて突出している。
【００３８】
第２の爪部３２は、第２のリブ４４の一方の面（上面）に設けられており、上方向Ｕに向けて突出している。第３の爪部３３は、第２の上方に位置した辺２２Ａから直接突出するように設けられている。第３の爪部３３も同様に、上方向Ｕに向けて突出するように設けられている。
【００３９】
第１のカバー２１は、中央に表示パネル１４を露出させるための開放部２３を有して枠状をなした第１の本体２４と、第１の本体２４に設けられた複数の受け部３７と、を有している。さらに、第１のカバー２１は、第１の上方に位置した辺２１Ａと、第１の側方に位置した辺２１Ｂと、第１の下方に位置した辺２１Ｃと、を含んでいる。
【００４０】
複数の受け部３７は、例えば、第１のカバー２１の外周部に設けられている。複数の爪部２５は、第１の下方に位置した辺２１Ｃに設けられる計４個の第１の受け部４１と、第１の側方に位置した辺２１Ｂに設けられる計６個の第２の受け部４２と、第１の上方に位置した辺２１Ａに設けられる計６個の第３の受け部４３と、を含んでいる。
【００４１】
第１の受け部４１は、第１の下方に位置した辺２１Ｃに設けられる方形の開口で構成されている。第１の爪部３１は、その引掛部３１Ｂが第１の受け部４１の内側に嵌り込んで、第１の受け部４１と係合する。
【００４２】
第２の受け部４２は、第１の側方に位置した辺２１Ｂから筐体１７の内部（表示パネル１４のある方向）に向けて突出した第１のリブ２６に設けられる方形の開口で構成されている。本実施形態では、第１のリブ２６は、第２の受け部４２を設けるための専用のリブである。しかしながら、第２の受け部４２は、第２の爪部３２と同様に、表示パネル１４を支持するためのリブ（第３のリブ）に設けるようにしてもよい。
【００４３】
第３の受け部４３は、第１の上方に位置した辺２１Ａから、第２のカバーのある方向（後方向Ｒ）に向けて突出した部分に設けられた方形の開口として形成されている。
【００４４】
続いて、図１２、図１３を参照して、第１のカバー２１から第２のカバー２２を取り外す工程について説明する。
【００４５】
図１２に示すように、指掛部３１Ｃに指を掛けて第１の爪部３１を持ち上げて、第１の受け部４１と第１の爪部３１との係合を解除する。
【００４６】
続いて、図１３に示すように、第２の下方に位置した辺２２Ｃの付近を手で保持するとともに、第３の爪部３３（第３の受け部４３）付近を回転中心として、第２のカバー２２を上方に引き上げるように、矢印Ｂ方向に回転させる。その際、作業者は、第２のカバー２２を作業者のいる手前方向に引き出すように、図１３中において矢印Ａで示す方向に力を加えつつ、第２のカバー２２を上方に引き上げるように、矢印Ｂで示す方向に回転させる。これによって、第２の爪部３２と第２の受け部４２との係合が解除され、さらに第２のカバー２２を矢印Ｂ方向に回転させると、第３の爪部３３と第３の受け部４３との間の係合が解除される。以上より、第１のカバー２１から第２のカバー２２を取り外す作業（筐体１７の分解作業）が円滑になされる。
【００４７】
なお、本実施形態では、複数の爪部２５のそれぞれは、上方向Ｕを向くように形成されているが、複数の爪部２５を設ける方向はこれに限定されるものではない。複数の爪部２５は、同じ方向に向いていれば、どの方向（下方向Ｌ、右方向、左方向）でもよい。
【００４８】
第２の実施形態によれば、テレビ１１は、表示パネル１４と、表示パネル１４の前方を覆う第１のカバー２１と、表示パネル１４の後方を覆う第２のカバー２２と、第２のカバー２２の外周部に設けられるとともに、同方向を向いた複数の爪部２５と、第１のカバー２１の外周部に設けられるとともに、複数の爪部２５とそれぞれ係合する複数の受け部３７と、を備える。
【００４９】
この構成によれば、複数の受け部３７を第１のカバー２１側に設け、複数の爪部２５を第２のカバー２２側に設ける場合でも、第１のカバー２１および第２のカバー２２の分解作業を円滑にすることができる。
【００５０】
特に、複数の爪部２５が同方向を向いているため、分解作業を簡単にできるとともに、専用の工具等が不要である。また、工具によって第１のカバー２１および第２のカバー２２を傷つけて、再使用不能としてしまうことがなく、第１のカバー２１および第２のカバー２２に無駄を生じることを防止できる。これによって、第１のカバー２１と第２のカバー２２との間で繰り返し着脱を行うことができる。
【００５１】
電子機器は上記実施形態そのままに限定されるものではなく、実施段階ではその要旨を逸脱しない範囲で構成要素を変形して具体化できる。さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【符号の説明】
【００５２】
１１…テレビ、１４…表示パネル、２１…第１のカバー、２１Ｃ…第１の下方に位置した辺、２２…第２のカバー、２２Ｃ…第２の下方に位置した辺、２５…複数の爪部、３１…第１の爪部、３２…第２の爪部、３３…第３の爪部、３７…複数の受け部、４１…第１の受け部、４４…第２のリブ
【図１】
2013020088.tif 000003
【図２】
2013020088.tif 000004
【図３】
2013020088.tif 000005
【図４】
2013020088.tif 000006
【図５】
2013020088.tif 000007
【図６】
2013020088.tif 000008
【図７】
2013020088.tif 000009
【図８】
2013020088.tif 000010
【図９】
2013020088.tif 000011
【図１０】
2013020088.tif 000012
【図１１】
2013020088.tif 000013
【図１２】
2013020088.tif 000014
【図１３】
2013020088.tif 000015